(57)【要約】    【課題】  製造コストが嵩んだり、回路全体が複雑化したりするのを防ぐことができ、ひいては実用性の高い断線検出方法及び磁気記録再生装置を提供する。    【解決手段】  磁気ギャップを挟んで対向配置された磁気コア２１と、磁気コア２１に巻回され、磁気記録媒体に対する磁気データの書き込み電流が流れる１次コイル（ライト用巻き線２２）と、磁気コア２１に巻回され、磁気ギャップ近傍の磁束変化に基づいて電流が流れる２次コイル（リード用巻き線２３）と、を有する磁気ヘッド２の断線異常を検出する断線検出方法において、１次コイルに電流を供給したとき、磁気ギャップ近傍の磁束変化を契機として、２次コイルに発生する電流を検出する。【選択図】          図１
2007095118.tif 000002
【特許請求の範囲】
【請求項１】
磁気ギャップを挟んで対向配置された磁気コアと、
前記磁気コアに巻回され、磁気記録媒体に対する磁気データの書き込み電流が流れる１次コイルと、
前記磁気コアに巻回され、前記磁気ギャップ近傍の磁束変化に基づいて電流が流れる２次コイルと、を有する磁気ヘッドの断線異常を検出する断線検出方法において、
前記１次コイルに電流を供給する電流供給工程と、
前記電流供給工程に基づく前記磁気ギャップ近傍の磁束変化を契機として、前記２次コイルに発生する電流を検出する電流検出工程と、を含むことを特徴とする断線検出方法。
【請求項２】
前記断線検出方法では、さらに、前記１次コイルに電流を供給するとともに、前記２次コイルに発生する電流を検出する電流制御手段と、
前記電流制御手段と信号の送受信を行うとともに、断線異常の有無を判定する断線異常判定手段と、が用いられ、
前記断線異常判定手段が前記電流制御手段に対して磁気データの書き込み信号を送信する書き込み信号送信工程と、
前記断線異常判定手段が前記電流制御手段から磁気データの読み出し信号を受信したか否かにより、前記磁気ヘッドの断線異常を検出する断線異常検出工程と、を含むことを特徴とする請求項１記載の断線検出方法。
【請求項３】
前記磁気ヘッドには、複数の前記磁気コアが設けられており、
いずれか一の前記磁気コアに巻回された１次コイルに電流を供給する電流供給工程と、
前記電流供給工程に基づく前記磁気ギャップ近傍の磁束変化を契機として、他の前記磁気コアに巻回された２次コイルに発生する電流を検出する電流検出工程と、を含むことを特徴とする請求項１又は２記載の断線検出方法。
【請求項４】
磁気ギャップを挟んで対向配置された磁気コアと、
前記磁気コアに巻回され、磁気記録媒体に対する磁気データの書き込み電流が流れる１次コイルと、
前記磁気コアに巻回され、前記磁気ギャップ近傍の磁束変化に基づいて電流が流れる２次コイルと、を有する磁気ヘッドと、
前記１次コイルに電流を供給するとともに、前記２次コイルに発生する電流を検出する電流制御手段と、
前記電流制御手段と信号の送受信を行うとともに、断線異常の有無を判定する断線異常判定手段と、を備え、
前記断線異常判定手段が、前記電流制御手段に対して磁気データの書き込み信号を送信したとき、前記電流制御手段から磁気データの読み出し信号を受信したか否かにより、前記磁気ヘッドの断線異常を検出することを特徴とする磁気記録再生装置。
【発明の詳細な説明】
【技術分野】
【０００１】
本発明は、磁気ヘッドの断線異常を検出するための断線検出方法及び磁気記録再生装置に関する。
【背景技術】
【０００２】
一般に、磁気記録再生装置において、磁気記録媒体に対する磁気データの読み出し及び書き込みは、磁気ヘッドを介して行われる。より具体的には、リード／ライト用の磁気ヘッドには、リード用巻き線とライト用巻き線とが巻回されたコアが設けられており、リードアンプやライトドライバを有するＩＣと、これらの巻き線とが電気的に接続されている。そして、磁気記録媒体に対して磁気ヘッドを相対的に摺動させたとき、リード用巻き線に発生する電流をリードアンプで検出することによって、磁気記録媒体に対する磁気データの読み出しが行われる。また、ライトドライバによってライト用巻き線に流れる書き込み電流の向きを適宜反転させることによって、磁気記録媒体に対する磁気データの書き込みが行われる。
【０００３】
ここで、リード用巻き線に発生する電流をリードアンプで検出できなくなった場合や、ライトドライバによりライト用巻き線に書き込み電流を供給できなくなった場合に、それがリード用巻き線又はライト用巻き線の断線（断線異常）であるのか否かを判定する様々な手法が提案されている（例えば特許文献１、特許文献２参照）。
【０００４】
特許文献１に開示された磁気ヘッド断線検出回路は、書き込み信号に応じて相補的にオンオフ動作するトランジスタやＢＴＬプッシュプル回路などの各種素子・回路を備えている。この磁気ヘッド断線検出回路では、検出プローブ方式が採用されており、これらの各種素子・回路を用いて、測定対象となる磁気ヘッドへの書き込み電流がゼロになるか否かによって断線異常を検出している。
【０００５】
特許文献２に開示された磁気ヘッド異常検出回路は、測定対象となる磁気ヘッド両端の電位と第１の参照電位との大小を比較する第１の判定回路（コンパレータや参照用基準電源等から構成される）と、その磁気ヘッド両端の電位と第２の参照電位との大小を比較する第２の参照電位との大小を比較する第２の判定回路と、を備えている。この磁気ヘッド異常検出回路では、第１の判定回路及び第２の判定回路が共に磁気ヘッドが正常でないと判定したとき、断線異常が検出されるようになっている。
【０００６】
【特許文献１】特開平７−１２１８４１号公報（段落番号［００１４］）
【特許文献２】特開平１１−２７３０１５号公報（段落番号［００１３］）
【発明の開示】
【発明が解決しようとする課題】
【０００７】
しかしながら、上述した特許文献１及び特許文献２に開示された手法では、断線異常を検出するための各種素子・回路が別途必要となり、磁気記録再生装置全体の製造コストが嵩んでしまう。また、別途各種素子・回路を組み込むとなると、磁気記録再生装置内の回路全体が複雑化してしまう。
【０００８】
特に、既存の磁気記録再生装置において、上述した特許文献１及び特許文献２に開示された手法によって断線異常を検出しようとすると、その磁気記録再生装置に、各種素子・回路を別途新たに取り付ける必要があることから、実用性に乏しい面がある。
【０００９】
本発明は、以上の点に鑑みてなされたものであり、その目的は、製造コストが嵩んだり、回路全体が複雑化したりするのを防ぐことができ、ひいては実用性の高い断線検出方法及び磁気記録再生装置を提供することにある。
【課題を解決するための手段】
【００１０】
以上のような課題を解決するために、本発明は、以下のものを提供する。
【００１１】
（１）  磁気ギャップを挟んで対向配置された磁気コアと、前記磁気コアに巻回され、磁気記録媒体に対する磁気データの書き込み電流が流れる１次コイルと、前記磁気コアに巻回され、前記磁気ギャップ近傍の磁束変化に基づいて電流が流れる２次コイルと、を有する磁気ヘッドの断線異常を検出する断線検出方法において、前記１次コイルに電流を供給する電流供給工程と、前記電流供給工程に基づく前記磁気ギャップ近傍の磁束変化を契機として、前記２次コイルに発生する電流を検出する電流検出工程と、を含むことを特徴とする断線検出方法。
【００１２】
本発明によれば、磁気コアと、その磁気コアに巻回された１次コイル及び２次コイルと、を有する磁気ヘッドの断線異常を検出するために、１次コイルに電流を供給し、それに基づいて磁気ギャップ近傍の磁束が変化したことを契機として、電磁誘導により２次コイルに発生する電流を検出することとしたので、上述した従来技術のように、各種素子・回路を別途新たに取り付けることなく、磁気ヘッドの断線異常を検出することができる。
【００１３】
すなわち、本発明は、１次コイルに電流を供給したときに２次コイルに発生する電流を検出することで、磁気ヘッドの断線異常を検出することができるものであって、例えば、２次コイルに発生する電流が０（ノイズによる小電流を含む）であれば、磁気ヘッドの断線異常が発生したことが分かる一方、２次コイルに発生する電流が非０（所定の値）であれば、磁気ヘッドの断線異常は発生していないことが分かる。
【００１４】
従って、各種素子・回路を別途新たに取り付けることなく磁気ヘッドの断線異常を検出することができれば、磁気記録再生装置全体の製造コストが嵩むのを防ぐことができ、また、磁気記録再生装置内の回路全体が複雑化するのを防ぐことができる。特に、既存の磁気記録再生装置であっても、その磁気記録再生装置に本発明に係る断線検出方法を実行するプログラムを組み込むだけで（或いはファームウェアを変更するだけで）、簡易かつ安価に磁気ヘッドの断線異常の検出を実現できるので、実用性の高い断線検出方法を提供することができる。更には、ファームウェアでの処理が可能であるため、断線検知のタイミングを所望のタイミング（例えば、磁気カードリーダにおいて磁気カードの取り込み直前）とすることができ、利便性を向上させることができる。
【００１５】
ここで、電流供給工程において、「１次コイルに流れる電流」は、例えば所定幅をもったパルス状の電流（ノイズ等の要因で歪んだパルス状の電流を含む）であってもよいし、正弦波電流や鋸歯状電流であってもよいし、その種類の如何を問わない。
【００１６】
また、電流検出工程において、「電流供給工程に基づく磁気ギャップ近傍の磁束変化」とは、少なくとも電流供給工程が一要因となって、磁気ギャップ近傍（磁気ギャップ中でもよい）の磁束が変化することを意味する。
【００１７】
（２）  前記断線検出方法では、さらに、前記１次コイルに電流を供給するとともに、前記２次コイルに発生する電流を検出する電流制御手段と、前記電流制御手段と信号の送受信を行うとともに、断線異常の有無を判定する断線異常判定手段と、が用いられ、前記断線異常判定手段が前記電流制御手段に対して磁気データの書き込み信号を送信する書き込み信号送信工程と、前記断線異常判定手段が前記電流制御手段から磁気データの読み出し信号を受信したか否かにより、前記磁気ヘッドの断線異常を検出する断線異常検出工程と、を含むことを特徴とする（１）記載の断線検出方法。
【００１８】
本発明によれば、上述した断線検出方法では、１次コイルに電流を供給する機能と２次コイルに発生する電流を検出する機能をもった電流制御手段と、電流制御手段と信号の送受信を行う機能と断線異常の有無を判定する断線異常判定手段と、が用いられ、断線異常判定手段が、電流制御手段に対して磁気データの書き込み信号を送信した後、電流制御手段から磁気データの読み出し信号を受信したか否かによって、磁気ヘッドの断線異常を検出することとしたので、既存の磁気記録再生装置であっても、これらの電流制御手段と断線異常判定手段が設けられていれば、各種素子・回路を別途新たに取り付けることなく、廉価かつ実用的に磁気ヘッドの断線異常を検出することができる。
【００１９】
（３）  前記磁気ヘッドには、複数の前記磁気コアが設けられており、いずれか一の前記磁気コアに巻回された１次コイルに電流を供給する電流供給工程と、前記電流供給工程に基づく前記磁気ギャップ近傍の磁束変化を契機として、他の前記磁気コアに巻回された２次コイルに発生する電流を検出する電流検出工程と、を含むことを特徴とする（１）又は（２）記載の断線検出方法。
【００２０】
本発明によれば、上述した磁気ヘッドには複数の磁気コアが設けられており、そのうちいずれか一の磁気コアに巻回された１次コイルに電流を供給し、それに基づく磁気ギャップ近傍の磁束変化を契機として、他の磁気コアに巻回された２次コイルに発生する電流を検出することとしたので、磁気記録媒体の磁気データを読み出す（再生する）ときに近い状態で、磁気ヘッドの断線異常を検出することができる。
【００２１】
すなわち、同一の磁気コアに巻回された１次コイルと２次コイルを用いて断線異常を検出する場合には、１次コイルと２次コイルとの間の相互誘導が強すぎる結果、飽和書き込みの影響を受け、２次コイルに発生する電流に多くのノイズ成分が入ってしまうが、本発明のように、異なる磁気コアに巻回された１次コイルと２次コイルを用いて断線異常を検出すれば、１次コイルと２次コイルとの間の相互誘導を弱めることができるので、飽和書き込みの影響を小さくすることができ、ひいては磁気記録媒体の磁気データを読み出す（再生する）ときに近い状態で、磁気ヘッドの断線異常を検出することができる。
【００２２】
また、複数の磁気コアに巻回された、複数の１次コイルと複数の２次コイルとを用いて、所定の組み合わせで断線検査をすることによって、１次コイルだけ，２次コイルだけ，又は１次コイル及び２次コイルの双方など、断線箇所を特定することができる。
【００２３】
（４）  磁気ギャップを挟んで対向配置された磁気コアと、前記磁気コアに巻回され、磁気記録媒体に対する磁気データの書き込み電流が流れる１次コイルと、前記磁気コアに巻回され、前記磁気ギャップ近傍の磁束変化に基づいて電流が流れる２次コイルと、を有する磁気ヘッドと、前記１次コイルに電流を供給するとともに、前記２次コイルに発生する電流を検出する電流制御手段と、前記電流制御手段と信号の送受信を行うとともに、断線異常の有無を判定する断線異常判定手段と、を備え、前記断線異常判定手段が、前記電流制御手段に対して磁気データの書き込み信号を送信したとき、前記電流制御手段から磁気データの読み出し信号を受信したか否かにより、前記磁気ヘッドの断線異常を検出することを特徴とする磁気記録再生装置。
【００２４】
本発明によれば、磁気記録再生装置に、磁気コアと、その磁気コアに巻回された１次コイル及び２次コイルと、を有する磁気ヘッドと、１次コイルに電流を供給するとともに、２次コイルに発生する電流を検出する電流制御手段と、電流制御手段と信号の送受信を行うとともに、断線異常の有無を判定する断線異常判定手段と、が設けられており、断線異常判定手段が、電流制御手段に対して磁気データの書き込み信号を送信したとき、電流制御手段から磁気データの読み出し信号を受信したか否かにより、磁気ヘッドの断線異常を検出することとしたので、磁気記録再生装置全体の製造コストを抑えつつ、また、磁気記録再生装置の回路全体が複雑化するのを防ぎつつ、安価かつ簡易に磁気ヘッドの断線異常の検出することができる。
【発明の効果】
【００２５】
本発明に係る断線検出方法及び磁気記録再生装置によれば、別途新たな素子や回路を取り付けることなく、安価かつ簡易に磁気ヘッドの断線異常を検出することができる。また、ファームウェアの変更だけで磁気ヘッドの断線検出が可能であったり、断線検知のタイミングを所望のタイミングにすることが可能であったりするので、実用性及び利便性を高めることができる。
【発明を実施するための最良の形態】
【００２６】
以下、本発明を実施するための最良の形態について、図面を参照しながら説明する。
【００２７】
［磁気記録再生装置］
図１は、本発明の実施の形態に係る磁気記録再生装置１の電気的構成を示すブロック図である。図２は、磁気ヘッド２の構造の概要を示す概略図である。
【００２８】
図１において、磁気記録再生装置１は、磁気ヘッド２と、リード／ライトＩＣ３と、ＣＰＵ４と、を有している。
【００２９】
磁気ヘッド２は、磁気カード等の磁気記録媒体表面上の磁気ストライプに接触・摺動することによって、磁気データの記録又は再生を行う。より具体的には、図２に示すように、磁気ギャップ（磁気スペーサ）２５を挟んで対向配置された磁気コア２１と、磁気コア２１に巻回されたライト用巻き線２２（１次コイルの一例に相当する）と、磁気コア２１に巻回されたリード用巻き線２３（２次コイルの一例に相当する）と、これらを格納するケース２４と、を有している。
【００３０】
ライト用巻き線２２には、磁気記録媒体に対する磁気データの書き込み電流が流れ、リード用巻き線２４には、磁気ギャップ２５近傍の磁束変化に基づいて電磁誘導により電流が流れるようになっている。ライト用巻き線２２に書き込み電流を流すと、ライト用巻き線２２内に誘導磁束が発生するとともに、磁気コア２１に沿って形成された磁路に誘導磁束が発生する。そして、磁気コア２１に沿って形成された磁路に誘導磁束が発生したことに起因して、磁気ギャップ２５近傍の磁束が変化し、電磁誘導によりリード用巻き線２３に誘導電流が発生する。
【００３１】
リード／ライトＩＣ３は、ドライバー回路３１と、アンプ（増幅器）３２と、波形整形器（例えば帯域通過型濾波器ＢＰＦやコンパレータ等）３３と、を備え、ライト用巻き線２２にライト電流を供給するとともに、リード用巻き線２３に発生するリード電流（上述した誘導電流を含む）を検出する機能を有している。より具体的には、ライト用巻き線２２に接続されたドライバー回路３１は、ＣＰＵ４からの磁気データのライト信号（書き込み信号）に基づいて、ライト用巻き線２２にライト電流を供給する。また、リード用巻き線２３に接続されたアンプ３２は、上述したリード電流を検出するとともに、その波形振幅を大きくして出力する。そして、アンプ３２の出力は、波形整形器３３を通過して、高周波ノイズの除去，波形整形が行われた後、ＣＰＵ４にリード信号（読み出し信号）として入力される。
【００３２】
ＣＰＵ４は、総合的な電気的制御を司るものであって、リード／ライトＩＣ３に対して磁気データのライト信号を送信するとともに、リード／ライトＩＣ３から磁気データのリード信号を受信する。なお、磁気記録再生装置１ではＣＰＵ４を用いたが、その他、ＭＰＵやＬＳＩなど、断線異常の有無を判定し得るものであれば、如何なるものであってもよい。
【００３３】
図３は、図１に示す磁気記録再生装置１の各部における信号（電流）波形の概要を示す概略波形図である。
【００３４】
図３において、まず、ＣＰＵ４は、リード／ライトＩＣ３に対して磁気データのライト信号を送信する（図３（ａ）参照）。そして、これを受信したリード／ライトＩＣ３は、図３（ｂ）に示すようなライト電流をライト用巻き線２２に供給する。そうすると、磁気コア２１に沿って形成された磁路に誘導磁束が発生し、これに起因してリード用巻き線２３で発生したリード電流を検出したアンプ３２は、図３（ｃ）に示すような信号を出力する。最後に、波形整形が行われた後、図３（ｄ）に示すようなリード信号がＣＰＵ４に入力される。
【００３５】
ここで、実際は、図３（ｃ）に示すアンプ出力には多くのノイズが入っていることから、この悪影響を受け、ライト信号（図３（ａ）参照）に対応した所望のリード信号を得ることができない（図３（ｄ）参照）。すなわち、ライト信号が矩形波であったとしても、相互誘導によって生じる磁束の再生波形（リード信号）は、通常の磁化判定のときのような矩形波にはならず、ノイズ（図３（ｄ）に示すＸ部分）が含まれたものとなる。そこで、次に説明する断線検出方法では、ライト信号を反転させたとき、リード信号に変化があるか否かによって、断線異常の有無を検出するようにしている。
【００３６】
［断線検出方法］
図４は、本発明の実施の形態に係る断線検出方法Ｓ２を含むカード取り込み処理の流れを示すフローチャートである。なお、図４では、断線検出方法Ｓ２をカード取り込み処理の一部に埋め込んだが、断線検出方法Ｓ２を単独で実行しても構わない。また、図４では、ライト信号を反転させることによって断線異常の有無を検出することとしたが、その他、例えばライト信号の送信（非０）・非送信（０）を切り替えるなど、磁気ギャップ２５の磁束を変化させる何らかの処理を実行することによって、断線異常の有無を検出することができる。
【００３７】
図４において、まず、磁気記録再生装置１にカードが挿入されていないことを確認した後（ステップＳ１）、断線検出方法Ｓ２が実行される。
【００３８】
断線検出方法Ｓ２において、まず、ライト信号の反転が行われる（ステップＳ２１）。より具体的には、ＣＰＵ４は、現在出力しているＨｉレベル又はＬｏレベルのライト信号に代えて、現在とは逆のＬｏレベル又はＨｉレベルのライト信号を出力する。
【００３９】
次いで、リード信号のチェックが行われる（ステップＳ２２）。より具体的には、ＣＰＵ４は、波形整形器３３からリード信号に変化があったか否かをチェックする。なお、リード信号に変化があったか否かは、ライト信号を反転するたびに、リード信号のＨｉレベル又はＬｏレベルを観測し、ＨｉレベルとＬｏレベルの両方の状態があれば、変化があったと判定する。また、リード信号のエッジを検出して、エッジ検出があれば、変化があったと判定してもよい。変化があったと判定した場合には、自己に内蔵されているメモリ（図示せず）領域で所定のフラグを立てる。また、検出精度を高めるために、ステップＳ２１とステップＳ２２の処理は、所定回数繰り返し行われる（ステップＳ２３）。
【００４０】
次いで、ステップＳ２１〜ステップＳ２３における処理を経て、リード信号に１度でも変化があったか否かが判断される（ステップＳ２４）。より具体的には、ＣＰＵ４は、自己に内蔵されているメモリ領域で、ステップＳ２２の処理結果に起因した所定のフラグが立っているか否かを判断する。
【００４１】
ステップＳ２４において、フラグが立っていると判定した場合には、磁気ヘッドの断線異常はなく、磁気ヘッドは正常であると認識する（ステップＳ２５）。一方で、フラグが立っていないと判定した場合には、磁気ヘッドの断線異常が発生していると認識する（ステップＳ２６）。ＣＰＵ４は、以上の断線検出方法を実行し終えた後、カード取り込みを許可し（ステップＳ３）、一連の処理が終了する。
【００４２】
以上説明したように、本実施形態に係る断線検出方法Ｓ２及び磁気記録再生装置１によれば、各種素子・回路を別途新たに取り付けることなく磁気ヘッド２の断線異常を検出することができるので、磁気記録再生装置１全体の製造コストを抑えることができる。また、磁気記録再生装置１内の回路全体が複雑化するのを防ぐことができる。さらに、図４に示す一連処理を実行できるようにファームウェアを変更するだけで、磁気ヘッド２の断線検出が可能であるため、実用性が高い。さらにまた、図４に示すように、断線検出方法Ｓ２をカード取り込み処理の一部に埋め込めば、磁気カードの読み取りの際に、毎回断線異常の検出ができるので、磁気記録再生装置１の故障原因を特定するときに役立つことになる。
【００４３】
［変形例］
図５は、本発明の他の実施の形態に係る磁気記録再生装置１'における磁気ヘッド２'の構造の概要を示す概略図である。
【００４４】
図５において、磁気ヘッド２'は、２個の磁気コア２１ａ，２１ｂを有しており、それぞれの磁気コアには、ライト用巻き線２２ａ及びリード用巻き線２３ａ，ライト用巻き線２２ｂ及びリード用巻き線２３ｂが巻回されている。これらの巻き線を用いて、所定の組み合わせで断線検査をすることによって、断線箇所を特定することができる。
【００４５】
図６は、磁気記録再生装置１'において、断線箇所を特定するための組み合わせを示す図である。なお、図６（ａ）〜図６（ｃ）では、ライト用巻き線２２ａを「２２ａ」と略し、リード用巻き線２３ａを「２３ａ」と略し、ライト用巻き線２２ｂを「２２ｂ」と略し、リード用巻き線２３ｂを「２３ｂ」と略すものとする。
【００４６】
図６（ａ）において、ライト用巻き線２２ａとリード用巻き線２３ａとで断線異常の有無をチェックする。断線異常があれば、断線箇所としては、ライト用巻き線２２ａ単独か、リード用巻き線２３ａ単独か、或いはライト用巻き線２２ａ及びリード用巻き線２３ａの双方が考えられることになる。
【００４７】
図６（ｂ）では、ライト用巻き線２２ａとリード用巻き線２３ａとで断線異常の有無をチェックし、ライト用巻き線２２ａとリード用巻き線２３ｂとで断線異常の有無をチェックする。後者のみで断線異常があれば、リード用巻き線２３ｂが断線箇所であり、前者のみで断線異常があれば、リード用巻き線２３ａが断線箇所であることが分かる。また、前者及び後者の双方で断線異常があれば、ライト用巻き線２２ａ単独か、ライト用巻き線２３ａとリード用巻き線２３ｂの双方か、ライト用巻き線２２ａとリード用巻き線２３ａ，２３ｂのどれか、が考えられる。
【００４８】
なお、詳細な説明は省略するが、図６（ｃ）に示すように、組み合わせ試験を繰り返すことによって、断線箇所を特定することができるようになる。また、本実施形態に係る磁気記録再生装置１'によれば、ライト用巻き線２２ａ又はライト用巻き線２２ｂと、リード用巻き線２２ｂ又はリード用巻き線２３ｂとの間の相互誘導を弱めることができるので、飽和書き込みの影響を小さくすることができ、ひいては磁気記録媒体の磁気データを読み出す（再生する）ときに近い状態で、磁気ヘッド２'の断線異常を検出することができる。
【産業上の利用可能性】
【００４９】
本発明に係る断線検出方法及び磁気記録再生装置は、製造コストが嵩んだり、回路全体が複雑化したりするのを防ぐことができ、ひいては実用性を高めることが可能なものとして有用である。
【図面の簡単な説明】
【００５０】
【図１】本発明の実施の形態に係る磁気記録再生装置の電気的構成を示すブロック図である。
【図２】図２は、磁気ヘッドの構造の概要を示す概略図である。
【図３】図１に示す磁気記録再生装置の各部における信号（電流）波形の概要を示す概略波形図である。
【図４】本発明の実施の形態に係る断線検出方法Ｓ２を含むカード取り込み処理の流れを示すフローチャートである。
【図５】本発明の他の実施の形態に係る磁気記録再生装置において、磁気ヘッドの構造の概要を示す概略図である。
【図６】磁気記録再生装置において、断線箇所を特定するための組み合わせを示す図である。
【符号の説明】
【００５１】
１  磁気ヘッド記録再生装置
２  磁気ヘッド
３  リード／ライトＩＣ
４  ＣＰＵ
２１  磁気コア
２２  ライト用巻き線
２３  リード用巻き線
２４  ケース
３１  ドライバー回路
３２  アンプ
３３  波形整形器
【図１】
2007095118.tif 000003
【図２】
2007095118.tif 000004
【図３】
2007095118.tif 000005
【図４】
2007095118.tif 000006
【図５】
2007095118.tif 000007
【図６】
2007095118.tif 000008